(57)【要約】【課題】粉粒体を空隙部が存在しない状態で収納部に収納し得る品質計測用の粉粒体収納容器を提供する。【解決手段】上方が開口されかつ底壁５３ｂ及び側周壁５３ｃを備える収納部５３を有する容器本体５１と、収納部５３における開口５３ａを開閉自在でかつ閉じ姿勢にて容器本体５１に固定装着自在な蓋体５２とが設けられ、容器本体５１が、収納部５３に測定対象としての粉粒体を収納しかつ蓋体５２を閉じ姿勢にて固定装着した状態において、品質計測装置における装填箇所に着脱されるように構成された品質計測用の粉粒体収納容器であって、収納部５３の側周壁５３ｃにおける周方向の少なくとも一部が、後退弾性変位自在な後退変位壁部５３Ｆに構成されている。【選択図】図９
2010025578.tif 000002
【特許請求の範囲】
【請求項１】
上方が開口されかつ底壁及び側周壁を備える収納部を有する容器本体と、前記収納部における前記開口を開閉自在でかつ閉じ姿勢にて前記容器本体に固定装着自在な蓋体とが設けられ、
前記容器本体が、前記収納部に測定対象としての粉粒体を収納しかつ前記蓋体を閉じ姿勢にて固定装着した状態において、品質計測装置における装填箇所に着脱されるように構成された品質計測用の粉粒体収納容器であって、
前記収納部の前記側周壁における周方向の少なくとも一部が、後退弾性変位自在な後退変位壁部に構成されている品質計測用の粉粒体収納容器。
【請求項２】
前記後退変位壁部が、前記側周壁の周方向に沿って伸びる長尺状の板バネを、その長手方向の一部を固定状態に支持して構成されている請求項１記載の品質計測用の粉粒体収納容器。
【請求項３】
前記後退変位壁部が、一対の前記板バネを、その長手方向の一端側部分が重複する状態で前記側周壁の周方向に並べ、且つ、前記重複される一端側部分とは反対側の他端側部分を固定状態に支持して構成されている請求項２記載の品質計測用の粉粒体収納容器。
【請求項４】
前記容器本体に、前記収納部から溢れる粉粒体を収納する余剰粉粒体収納部が、前記収納部に隣接する状態で形成されている請求項１〜３のいずれか１項に記載の品質計測用の粉粒体収納容器。
【請求項５】
前記収納部の前記側周壁が、上面視で矩形状に構成され、
前記蓋体が、前記収納部の前記側周壁における４辺に対応する４つの壁部分における対向する一対の壁部分の長手方向に沿い、且つ、上面視にて前記収納部の内部空間よりも外方に位置する揺動軸心周りで開閉自在に前記容器本体に支持されるように構成され、
前記収納部の前記側周壁の４つの壁部分における長手方向が前記蓋体の揺動軸心と平行な一対の壁部分のうちで、前記蓋体の揺動軸心とは離れる側の壁部分が、前記後退変位壁部に構成されている請求項１〜４のいずれか１項に記載の品質計測用の粉粒体収納容器。
【請求項６】
前記容器本体における前記収納部の底壁に相当する箇所及び前記蓋体の夫々が、光を透過可能に構成され、
前記品質計測装置が、前記装填箇所に装着された前記容器本体に対して計測用光を透過状態で投光し、且つ、前記容器本体に収納された粉粒体を透過した後の計測用光を分光分析して品質を計測するように構成されている請求項１〜５のいずれか１項に記載の品質計測用の粉粒体収納容器。
【発明の詳細な説明】
【技術分野】
【０００１】
本発明は、上方が開口されかつ底壁及び側周壁を備える収納部を有する容器本体と、前記収納部における前記開口を開閉自在でかつ閉じ姿勢にて前記容器本体に固定装着自在な蓋体とが設けられ、
前記容器本体が、前記収納部に測定対象としての粉粒体を収納しかつ前記蓋体を閉じ姿勢にて固定装着した状態において、品質計測装置における装填箇所に着脱されるように構成された品質計測用の粉粒体収納容器に関する。
【背景技術】
【０００２】
かかる品質計測用の粉粒体収納容器（以下、単に粉粒体収納容器と称する場合がある）は、粉粒体の品質を計測するときに用いるものであり、容器本体の収納部に測定対象としての粉粒体を収納した状態で、蓋体を閉じ姿勢にて容器本体に固定装着し、その容器本体を品質計測装置における装填箇所に装填して、粉粒体の品質を計測することになる。
ちなみに、粉粒体としては、例えば、籾、玄米、精米、玄麦、玄蕎麦等の粒状のもの、小麦粉、蕎麦粉等の粉状のものが含まれる。
【０００３】
そして、収納部に粉粒体が収納された容器本体に蓋体が閉じ姿勢にて固定装着された状態において、収納部に収納された粉粒体に空隙部が存在すると、品質計測装置による粉粒体の品質の計測精度が低下する虞があるので、粉粒体を空隙部が存在しない状態で収納部に収納できるようにすることが望まれている。
【０００４】
粉粒体を空隙部が存在しない状態で収納部に収納できるようにすることを目的とした従来例として、収納部の底壁が後退弾性変位自在なように構成されたものがあった。
具体的には、収納部の剛体からなる底板上にスポンジが設けられて、収納部の底壁が底板とその上部のスポンジにて構成され、そのスポンジの収縮により、収納部の底壁が後退弾性変位自在なように構成されていた（例えば、特許文献１参照。）。
つまり、このような粉粒体収納容器は、収納部に粉粒体を山盛り状に入れて、蓋体を閉じるときにその山盛り状の粉粒体を押圧することにより、山盛り状の粉粒体の内部に空隙部が存在すれば、その空隙部を押し潰すことにより、結果的に、粉粒体を空隙部が存在しない状態で収納部に収納させることができるようにしたものであり、そして、山盛り状の粉粒体を収納部内に押し込めるときに、底部のスポンジが弾性後退変位して、収納部内の容積を増加させことにより、粉粒体に過度の力が作用して変形損傷することを回避させるようにしたものである。
ちなみに、この特許文献１においては、品質計測装置は、精米、精麦、小麦粉、蕎麦粉等の粉粒体の白度を計測するように構成されている。
【０００５】
【特許文献１】特開平１１−２９５２２７号公報
【発明の開示】
【発明が解決しようとする課題】
【０００６】
従来の粉粒体収納容器は、閉じられる蓋体と対向する底壁上にスポンジを設けるものであるため、蓋体を閉じて山盛り状の粉粒体を押圧するときに、その押圧力にてスポンジが弾性後退変位し易いものである結果、粉粒体に対して大きな押圧力を作用させ難いものであり、粉粒体の内部に存在する空隙部を的確に押し潰し難い虞があった。
【０００７】
本発明は、かかる実情に鑑みてなされたものであり、その目的は、粉粒体を空隙部が存在しない状態で収納部に収納し得る品質計測用の粉粒体収納容器を提供することにある。
【課題を解決するための手段】
【０００８】
本発明の品質計測用の粉粒体収納容器は、上方が開口されかつ底壁及び側周壁を備える収納部を有する容器本体と、前記収納部における前記開口を開閉自在でかつ閉じ姿勢にて前記容器本体に固定装着自在な蓋体とが設けられ、
前記容器本体が、前記収納部に測定対象としての粉粒体を収納しかつ前記蓋体を閉じ姿勢にて固定装着した状態において、品質計測装置における装填箇所に着脱されるように構成されたものであって、
第１特徴構成は、前記収納部の前記側周壁における周方向の少なくとも一部が、後退弾性変位自在な後退変位壁部に構成されている点にある。
【０００９】
即ち、収納部に山盛り状に粉粒体を入れて、蓋体を閉じ姿勢にするように移動させると、その移動する蓋体により収納部の粉粒体に対して収納部の底壁に向けて付与される押圧力は、収納部の底壁にて受け止められることになって、粉粒体に対して蓋体が閉じられる方向に直交又は略直交する方向に放射状に、つまり、横方向に放射状に後退変位壁部の後退弾性力が作用することになるので、収納部の側周壁の後退変位壁部が後退弾性変位しつつ収納部に入れられた粉粒体が後退変位壁部の側に向けて横方向に広がることになる。
そして、蓋体により収納部の底壁に向けて粉粒体に対して付与される押圧力を収納部の底壁にて受け止めて横方向に放射状に作用させることにより、粉粒体に対して下向き及び横向き放射状に大きな押圧力を異なる方向から作用させることができる、つまり、蓋体により付与される押圧力の反発力を収納部の底壁及び側周壁の周方向全域から満遍なく作用させることができるようになって、収納部に収納されている粉粒体をその周囲全域にわたって包み込む状態で満遍なく押圧するようにすることができるので、粉粒体の内部に存在する空隙部を的確に押し潰すことができるのである。
従って、粉粒体を空隙部が存在しない状態で収納部に収納し得る品質計測用の粉粒体収納容器を提供することができるようになった。
【００１０】
第２特徴構成は、上記第１特徴構成に加えて、
前記後退変位壁部が、前記側周壁の周方向に沿って伸びる長尺状の板バネを、その長手方向の一部を固定状態に支持して構成されている点にある。
【００１１】
即ち、後退変位壁部が、側周壁の周方向に沿って伸びる長尺状の板バネをその長手方向の一部を固定状態に支持して構成されているので、後退変位壁部がスポンジにて構成される場合に比べて、後退変位壁部の後退弾性変位量を所望通りに確保しながらも、後退変位壁部の厚さを薄くすることができる。
そして、後退変位壁部を上述のように板バネにて構成して、後退変位壁部の厚さを薄くできることにより、後退変位壁部がスポンジにて構成される場合に比べて、後退変位壁部が後退弾性変位しない状態での収納部の内部空間の面積を所望通りに確保し、しかも、後退変位壁部の後端弾性変位量も所望通りに確保しながらも、容器本体における、後退変位壁部の内面と容器本体の外側面との間の寸法を短くすることが可能となり、粉粒体収納容器の上面視での形状を小型化することができる。
従って、粉粒体収納容器の小型化を図りながら、粉粒体を空隙部が存在しない状態で収納部に収納することができるようになった。
【００１２】
第３特徴構成は、上記第２特徴構成に加えて、
前記後退変位壁部が、一対の前記板バネを、その長手方向の一端側部分が重複する状態で前記側周壁の周方向に並べ、且つ、前記重複される一端側部分とは反対側の他端側部分を固定状態に支持して構成されている点にある。
【００１３】
即ち、後退変位壁部が、一対の板バネを、その長手方向の一端側部分が重複する状態で側周壁の周方向に並べ、且つ、重複される一端側部分とは反対側の他端側部分を固定状態に支持して構成されているので、閉じ姿勢にするように移動される蓋体により収納部に入れられた粉粒体が押圧されることにより、一対の板バネを、夫々の遊端部が重複する状態を維持させながら後退弾性変位させることが可能となり、しかも、一対の板バネ夫々の遊端部は固定部分に接触するものではないため、一対の板バネが容易に後退弾性変位することになるので、収納部に収納されている粉粒体が横方向により一層広がり易いものとなり、空隙部をより一層的確に押し潰すことができる。
ちなみに、後退変位壁部が１枚の板バネにて構成される場合、板バネが後退弾性変位しても収納部から粉粒体が漏れない状態を維持するには、板バネが後退弾性変位しても、その遊端部が収納部の側周壁における固定状の壁部分に接当する状態を維持する必要があるので、板バネが後退弾性変位し難いものとなり、収納部に収納されている粉粒体が横方向により一層広がり易いようにして空隙部をより一層的確に押し潰すようにする上で多少不利となる。
従って、後退変位壁部が後退弾性変位しても収納部から粉粒体が漏れない状態を維持しながら、後退変位壁部がより一層後退弾性変位し易いようにすることができるので、粉粒体を収納部に収納するときに空隙部をより一層的確に存在させないようにすることができるようになった。
【００１４】
第４特徴構成は、上記第１〜第３特徴構成のいずれか１つに加えて、
前記容器本体に、前記収納部から溢れる粉粒体を収納する余剰粉粒体収納部が、前記収納部に隣接する状態で形成されている点にある。
【００１５】
即ち、収納部に山盛り状に粉粒体を入れて、蓋体を閉じ姿勢に向けて移動させるときに、粉粒体が収納部の外部に溢れても、その溢れた粉粒体の少なくとも一部が余剰粉粒体収納部に収納されることになって、粉粒体が粉粒体収納容器の外部にこぼれるのを無くす又は少なくすることができるので、粉粒体収納容器の外部にこぼれた粉粒体を回収する手間を軽減することができる。
又、余剰粉粒体収納部に収納された粉粒体は、粉粒体の品質を計測した後に、収納部に収納された粉粒体を回収するときに同時に回収することができる。
従って、品質計測用に使用した粉粒体を回収する手間を軽減することができるようになった。
【００１６】
第５特徴構成は、上記第１〜第４特徴構成のいずれか１つに加えて、
前記収納部の前記側周壁が、上面視で矩形状に構成され、
前記蓋体が、前記収納部の前記側周壁における４辺に対応する４つの壁部分における対向する一対の壁部分の長手方向に沿い、且つ、上面視にて前記収納部の内部空間よりも外方に位置する揺動軸心周りで開閉自在に前記容器本体に支持されるように構成され、
前記収納部の前記側周壁の４つの壁部分における長手方向が前記蓋体の揺動軸心と平行な一対の壁部分のうちで、前記蓋体の揺動軸心とは離れる側の壁部分が、前記後退変位壁部に構成されている点にある。
【００１７】
即ち、収納部の側周壁が上面視で矩形状に構成され、蓋体が、収納部の側周壁における４辺に対応する４つの壁部分における対向する一対の壁部分の長手方向に沿い、且つ、上面視にて収納部の内部空間よりも外方に位置する揺動軸心周りで開閉自在に容器本体に支持されるように構成されているので、蓋体を揺動軸心周りで揺動させることにより開閉操作することができるものとなり、蓋体が容器本体と分離した状態で設けられる場合に比べて、蓋体の開閉操作を行い易い。
又、収納部に山盛り状に粉粒体を入れた状態で、蓋体を閉じ姿勢にすべく揺動軸心を支点にして容器本体側に揺動させると、その蓋体により、収納部に山盛り状に入れられた粉粒体が蓋体の揺動軸心とは離れる側に向かう斜め下向きに押圧されることになるが、収納部の側周壁の４つの壁部分における長手方向が蓋体の揺動軸心と平行な一対の壁部分のうちで、蓋体の揺動軸心とは離れる側の壁部分を後退変位壁部に構成して、その後退変位壁部を後退弾性変位させることにより、前述した壁部分以外の壁部分を後退変位壁部に構成しなくても、あるいは、前述した壁部分以外の壁部分の一部を後退変位壁部に構成するだけでも、粉粒体が横方向に容易に広がるようにすることができて、粉粒体の内部に存在する空隙部を的確に押し潰すことができるのである。
従って、収納部の側周壁の周方向における後退変位壁部に構成する部分の範囲を狭くして低廉化を図りながら、粉粒体の内部に存在する空隙部を的確に押し潰すことができるようになった。
【００１８】
第６特徴構成は、上記第１〜第５特徴構成のいずれか１つに加えて、
前記容器本体における前記収納部の底壁に相当する箇所及び前記蓋体の夫々が、光を透過可能に構成され、
前記品質計測装置が、前記装填箇所に装着された前記容器本体に対して計測用光を透過状態で投光し、且つ、前記容器本体に収納された粉粒体を透過した後の計測用光を分光分析して品質を計測するように構成されている点にある。
【００１９】
即ち、装填箇所に装着された容器本体における収納部の底壁に相当する箇所及び蓋体のうちの一方に向けて計測用光が透過状態で投光され、容器本体に収納された粉粒体を透過して、装填箇所に装着された容器本体における収納部の底壁に相当する箇所及び蓋体のうちの他方から放出される計測用光が分光分析されて、粉粒体の品質が計測される。
そして、収納部の側周壁における周方向の少なくとも一部が後退変位壁部に構成されることにより、粉粒体を空隙部が存在しない状態で収納部に収納することができるようにするという目的を達成しながらも、容器本体における収納部の底壁に相当する箇所と蓋体との間隔を狭くして、容器本体に収納された粉粒体を透過する計測用光の光量を多くすることができるものとなり、粉粒体の品質を適正に計測することができる。
従って、粉粒体を空隙部が存在しない状態で収納部に収納することができ、しかも、容器本体に収納された粉粒体を透過した後の計測用光を分光分析して品質を計測するのに好適な粉粒体収納容器を提供することができるようになった。
【発明を実施するための最良の形態】
【００２０】
以下、図面に基づいて、本発明の実施の形態を説明する。
〔第１実施形態〕
先ず、第１実施形態を説明する。
品質計測用の粉粒体収納容器（以下、単に粉粒体収納容器と称する場合がある）５０は、図９及び図１０に示すように、上方が開口されかつ底壁５３ｂ及び側周壁５３ｃを備える収納部５３を有する容器本体５１と、前記収納部５３における前記開口５３ａを開閉自在でかつ閉じ姿勢にて前記容器本体５１に固定装着自在な蓋体５２とが設けられ、前記容器本体５１が、前記収納部５３に測定対象としての粉粒体を収納しかつ前記蓋体５２を閉じ姿勢にて固定装着した状態において、品質計測装置としての農産物の内部品質計測装置（以下、単に内部品質計測装置と記載する場合がある）における計測箇所Ｐ（装填箇所に相当する）に着脱されるように構成されている。
又、図１に示すように、内部品質計測装置は、計測箇所Ｐに装着された前記容器本体５１に対して計測用光（以下、単に光と記載する場合がある）を透過状態で投光し、且つ、前記容器本体５１に収納された粉粒体を透過した後の光を分光分析して品質を計測するように構成されている。
【００２１】
先ず、内部品質計測装置について説明する。
図１及び図２に示すように、内部品質計測装置は、計測箇所Ｐに位置する粉粒体収納容器５０に収納されている粉粒体に光を投射する投光手段１及びその投光手段１から光が投射された前記粉粒体からの光を受光する受光手段２を備えた投受光部Ｌと、前記受光手段２にて受光されて光案内手段３にて導かれる光を分光する分光手段３０及びその分光手段３０にて分光された光の強度を波長毎に検出する光強度検出手段としての受光センサ４を備えた分光計測部Ｍと、受光センサ４の検出情報に基づいて前記粉粒体の内部品質情報を求める制御部５と、その制御部５に各種制御情報を指令する操作部６と、その制御部５にて求められた内部品質情報を読み取り可能な表示情報として表示する表示部７と、装置冷却用の空気を送風する冷却用送風機８と、装置駆動用の電池９等を備えて構成されている。
【００２２】
そして、図２〜図４に示すように、内部品質計測装置は、前記投受光部Ｌ、前記分光計測部Ｍ、前記制御部５、前記操作部６、前記表示部７、前記冷却用送風機８及び前記電池９等、内部品質計測装置を構成する全部材をケーシング４０を用いて一体的に組みつけて構成してある。
説明を加えると、前記ケーシング４０は吊り下げ支持用の把手１０を上部に備えて構成され、投受光部Ｌ及び分光計測部Ｍが、そのケーシング４０内に、分光計測部Ｍを投受光部Ｌの下方に位置させた形態で設けられ、制御部５及び電池９が、ケーシング４０内における投受光部Ｌの下方に設けられている。
【００２３】
以下、前記ケーシング４０及び前記把手１０について説明を加える。
図２に示すように、ケーシング４０が、左右の両横側部及び背部にわたって開口する開口部４１ａを備えたケーシング本体４１と、そのケーシング本体４１の開口部４１ａを開閉自在なカバー部４２とを備えて構成されている。
更に、図６にも示すように、ケーシング４０の背部における底部側の部分に、その背部から離れる方向に突出する状態で、脚用突起部４３が設けられている。
【００２４】
図２〜図５に示すように、把手１０が、ケーシング４０の上部の左右両端に振り分けて配置されて夫々がケーシング４０の上部から上方に延びる一対の腕部１０ａとその腕部１０ａの上端部に取り付けられた把持部１０ｂとを備えて構成され、腕部１０ａの長手方向の中間部のうちの少なくとも一部がケーシング４０の背部から離れる方向に突出するように構成されている。
具体的には、図２及び図４に示すように、各腕部１０ａは、ケーシング４０の側面視において、ケーシング４０の背部から離れる方向に突出し且つ上端部がケーシング４０の上方におけるケーシング前後方向の中央よりもやや後方側に相当する箇所に位置する形態の概ね円弧状に、ケーシング４０の上面部における後端から上面部の上方に延びるように設けられている。
【００２５】
矩形状のケーシング底板部分４１ｂ、そのケーシング底板部分４１ｂの前端部から鉛直上方に延びる矩形状のケーシング前板部分４１ｃ、そのケーシング前板部分４１ｃの上端からケーシング背部側ほど上方に位置する傾斜状に延びる矩形状のケーシング上板部分４１ｄ、及び、そのケーシング上板部分４１ｅの後端から上方に延びる前記一対の腕部１０ａを一体的に備えるように、ケーシングフレームＦがアルミ押出成型にて形成されて、ケーシング底板部分４１ｂ、ケーシング前板部分４１ｃ及びケーシング上板部分４１ｄにて構成されるケーシング本体４１と把手１０の一対の腕部１０ａとがケーシングフレームＦにて一体的に形成されている。
又、ケーシング本体４１のケーシング底板部分４１ｂの後端側に、その端縁に沿って、両端部夫々にネジ孔が形成された長尺状の蓋体当て付け部４４が設けられ、ケーシング本体４１のケーシング上板部分４１ｄの上部側にその縁部に沿って、両端部夫々にネジ孔が形成された長尺状の蓋体当て付け部４５が設けられている。
【００２６】
又、図４及び図５に示すように、ケーシング本体４１のケーシング前板部分４１ｃにおける上方側部分の左右方向の略中央には、粉粒体を収納した粉粒体収納容器５０を挿脱するための縦長矩形状の容器挿入用開口部４１ｅが形成されている。
この粉粒体収納容器５０には、計測対象の分粒体として生籾、玄米等の米粒が収納されて、生籾、玄米等の内部品質が計測されることになる。
【００２７】
図２〜図４に示すように、前部が全体にわたって開口され且つ左右両側部に円形の光通過用開口部（図示省略）を備えた縦長直方体形状の容器保持フレーム１１が、その前部の開口部を前記容器挿入用開口部４１ｅに臨ませた状態で、ケーシング本体４１のケーシング前板部分４１ｃにおける内面側に取り付けられている。つまり、容器保持フレーム１１の内部を前記計測箇所Ｐとするように構成されている。
前記容器保持フレーム１１の背部には、押し操作を繰り返すことにより磁石が出退するように構成されて、容器保持フレーム１１内に挿入された粉粒体収納容器５０を保持するためのマグネットラッチ１２が取り付けられている。
【００２８】
そして、粉粒体収納容器５０を容器挿入用開口部４１ｅを通して容器保持フレーム１１に挿入して、粉粒体収納容器５０の先端にてマグネットラッチ１２を押し操作することにより磁石が突出して粉粒体収納容器５０が磁石に接当して、粉粒体収納容器５０が計測箇所Ｐに保持されることになる。
そのように粉粒体収納容器５０が計測箇所Ｐに保持された状態で、粉粒体収納容器５０を押し操作すると、マグネットラッチ１２の磁石が引退して粉粒体収納容器５０が磁石から離間することになって、粉粒体収納容器５０を容器挿入用開口部４１ｅを通して容器保持フレーム１１から取り出すことが可能となる。
つまり、粉粒体を収納した粉粒体収納容器５０が、前記ケーシング４０の前面に設けられた容器挿入用開口部４１ｅを通して前記計測箇所Ｐに挿入自在で且つ前記計測箇所Ｐから取り出し自在なように構成されていることになる。
又、図１、図２及び図４に示すように、容器保持フレーム１１内の上部の奥部には、粉粒体収納容器５０が容器保持フレーム１１に挿入されるに伴って押圧されるように、計測指令用スイッチ１７が設けられていて、この計測指令用スイッチ１７が粉粒体収納容器５０により押圧されることにより、前記制御部５に計測開始指令が指令されるように構成されている。
【００２９】
更に、図２、図３及び図６に示すように、ケーシング本体４１のケーシング前板部分４１ｃの内面側における左側端縁の上端部側に、内部品質計測装置の運転開始及び停止を指令する電源スイッチ１３、内部品質計測装置の駆動用電力を給電する電源用ケーブル２３，２４を接続する電源用ケーブル接続部１４、内部品質の計測結果等を出力するデータ出力ケーブル接続部１５等が取り付けられた矩形状の端子取付板１６が取り付けられている。
【００３０】
図２〜図４に示すように、前記制御部５等を搭載した回路基板（図示省略）を内装した制御ボックス１８が、前記投受光部Ｌの下方側で且つ分光計測部Ｍの背部側に位置させた状態で、ケーシング本体４１のケーシング底板部分４１ｂにおける内面側に支持されている。
【００３１】
図２に示すように、カバー部４２は、ケーシング背板部分４２ａ、ケーシング右側板部分４２ｂ及びケーシング左側板部分４２ｃを備えるように、アルミ板材を平面視でコの字状に屈曲成形して形成される。
又、そのカバー部４２のケーシング左側板部分４２ｃにおける上方側には、前記端子取付板１６を露出するための切り欠きが形成され、カバー部４２のケーシング右側板部分４２ｂの内面側には、前記冷却用送風機８が、カバー部４２がケーシング本体４１に装着された状態で前記投光手段１に対向する状態となるように取り付けられている。
又、カバー部４２のケーシング背板部分４２ａには、前記冷却用送風機８の通風作用によりケーシング４０内に冷却用空気を吸い込むための吸気口４２ｄが形成され、その吸気口には除塵用フィルタ１９が介装されている。
【００３２】
カバー部４２のケーシング背板部分４２ａの４角には、ケーシング本体４１に設けられた蓋体当て付け部４４，４５のネジ孔にビス４６を螺入するための孔が形成され、カバー部４２を蓋体当て付け部４４，４５に接当させた状態で、４角の孔を通して蓋体当て付け部４４，４５のネジ孔に４本のビス４６を螺入することにより、カバー部４２がケーシング本体４１に取り付けられた、開口部４１ａが閉じられることになる。
【００３３】
図４及び図６に示すように、上述のようにカバー部４２がケーシング本体４１に取り付けられた状態において、カバー部４２が、ケーシング本体４１のケーシング底板部分４１ｂの後端縁部よりも内方側に入り込んだ状態となるように構成されて、ケーシング底板部分４１ｂにおけるカバー部４２から突出する部分を、前記脚用突起部４３として機能させるように構成されている。
そして、前記ケーシング４０が、図５に示すように前記把手１０を上方側に位置させた通常姿勢と、図６に示すように、把手１０の腕部１０ａ及び前記脚用突起部４３を脚とする仰向け姿勢とに設置可能なように構成されている。
ちなみに、図６の（ａ）は、前記ケーシング４０が仰向け姿勢で置かれた状態での側面視での図を示し、（ｂ）は、前記ケーシング４０が仰向け姿勢で置かれた状態での正面視での図を示す。
【００３４】
図５及び図６に示すように、前記表示部７が、前記ケーシング本体４１のケーシング上板部分４１ｄに、その表示画面がケーシング上板部分４１ｄと平行となるように設けられ、前記操作部６が、各制御情報を入力するためのボタン６ａ，６ｂと、そのボタン６ａ，６ｂにて入力するための情報の項目とが前記表示部７に表示されるタッチパネル式に構成されている。
つまり、表示部７が、前記ケーシング４０が前記把手１０を上方側に位置させた通常姿勢にて設置される状態において、表示画面が前記ケーシング４０の背部側ほど上方に位置する傾斜状になる状態で前記ケーシング１０の上面部に設けられていることになる。
【００３５】
前記表示部７について説明を加える。
表示部７は、内部品質の計測結果等を表示する画面の他に、制御情報を入力するためのボタンの種類が異なる複数種の操作ボタン画面に切り換え自在なように構成されている。
例えば、図５に示すように、計測対象の農産物を選択する計測農産物選択用の操作ボタン画面が表示される。
この計測農産物選択用の操作ボタン画面には、生籾、生玄米、乾玄米、精米のうちのいずれかを計測対象として選択する計測対象選択ボタン６ａが生籾、生玄米、乾玄米、精米の夫々に対応して表示される。
又、表示部７には、どのような画面を表示しているかに拘わらず、常時、画面反転ボタン６ｂが表示される。
【００３６】
そして、制御部５は、画面反転ボタン６ｂにより表示状態切換指令が指令されると、表示状態切換指令が指令される前の表示状態に対して上下を反転して表示情報を表示部７に表示させるように構成されている。
つまり、制御部５が、表示情報を表示させるように表示部７の表示作動を制御し、且つ、画面反転ボタン６ｂによる表示状態切換指令に基づいて、前記ケーシング４０が前記通常姿勢にて設置される状態に対応して上下方向を定めて前記表示情報を前記表示部７にて表示する通常表示状態（図５参照）とその通常表示状態に対して上下を反転して前記表示情報を前記表示部７にて表示する上下反転表示状態（図６参照）とに切り換えるように構成されている。
【００３７】
前記投光手段１は、赤外線光を放射するハロゲンランプ等の光源を備えて構成されて、図２及び図３に示すように、前記容器保持フレーム１１の右側部の光通過用開口部を通して容器保持フレーム１１内の粉粒体収納容器５０に光を投射するように、容器保持フレーム１１の右側方に位置させた状態で、ケーシング本体４１のケーシング前板部分４１ｃにおける内面側に支持されている。
【００３８】
又、図１及び図３に示すように、前記投光手段１と前記容器保持フレーム１１との間には、シャッタ２０が、投光手段１から投射される光の光路を横断する閉じ位置とその光路から退避する開き位置とにシャッタ用ソレノイド２１にて位置切換自在に設けられている。
更に、前記投光手段１と前記容器保持フレーム１１との間には、投光手段１から投射される光のうちの遠赤外線波長範囲の光をカットする熱カットフィルタ２２も設けられている。
【００３９】
図３に示すように、前記受光手段２が、容器保持フレーム１１内の粉粒体収納容器５０を透過して容器保持フレーム１１の左側部の光通過用開口部から出射される光を受光するように、容器保持フレーム１１の左側方に位置させた状態で、ケーシング本体４１のケーシング前板部分４１ｃにおける内面側に支持されている。
図１〜図３に示すように、前記光案内手段３は、粉粒体を透過した光を導く計測光用光ファイバ３ａと、参照光を導く参照光用光ファイバ３ｂとを備えて構成されている。
計測光用光ファイバ３ａ及び参照光用光ファイバ３ｂ夫々は多数の素線から構成され、図１及び図７に示すように、計測光用光ファイバ３ａは、その入射側の端部が環状になり、その他の部分は円柱状になるように多数の素線を束ねて構成され、参照光用光ファイバ３ｂは全長にわたって円柱状になるように多数の素線を束ねて構成されている
そして、前記受光手段２は、計測光用光ファイバ３ａにおける環状の入射側端部及び参照光用光ファイバ３ｂにおける円状の入射側端部を、計測光用光ファイバ３ａにおける環状の入射側端部の内部に参照光用光ファイバ３ｂにおける円状の入射側端部が位置する形態でファイバ保持体２ａに保持して構成されている。
【００４０】
図２〜図４に示すように、前記分光計測部Ｍは、前記投受光部Ｌの下方側に位置させた状態で、ケーシング本体４１のケーシング底板部分４１ｂにおける内面側に支持されている。
図１に示すように、分光計測部Ｍの前記分光手段３０は、前記計測光用光ファイバ３ａ又は参照光用光ファイバ３ｂにより導かれる光を入射させる入射スリット３１ｓを備えた分光部用暗箱３１内に、前記入射スリット３１ｓから入射した光を複数の波長の光に分光する凹面回折格子３２が収納されて構成されている。
そして、前記受光センサ４が、前記凹面回折格子３２にて分光反射された光を同時に波長毎に受光するように、前記暗箱３１内に設けられている。この受光センサ４は、１０２４画素の電荷蓄積型のＣＣＤラインセンサにて構成されている。
【００４１】
又、図１に示すように、前記計測光用光ファイバ３ａにて導かれる光を入射スリット３１ｓに入射させる状態と、前記参照光用光ファイバ３ｂにより導かれる光を入射スリット３１ｓに入射させる状態とに切り換える入射光切換部６０が設けられている。
この入射光切換部６０について説明を加える。
前記分光部用暗箱３１における入射スリット３１ｓが形成された側壁に、入射光切換部用暗箱６１が連設され、その入射光切換部用暗箱６１における分光部用暗箱３１の入射スリット３１ｓに対向する側壁部に、前記計測光用光ファイバ３ａ及び参照光用光ファイバ３ｂが貫通状態に支持されている。
【００４２】
そして、入射光切換部６０は、入射光切換部用暗箱６１内に、計測光用中継ファイバ６２ａ及び参照光用中継ファイバ６２ｂを備えたファイバ支持体６２が、計測光用中継ファイバ６２ａの入射端面が計測光用光ファイバ３ａの出射端面に対向し且つ計測光用中継ファイバ６２ａの出射端面が分光部用暗箱３１の入射スリット３１ｓに対向する通常計測位置と、参照光用中継ファイバ６２ｂの入射端面が参照光用光ファイバ３ｂの出射端面に対向し且つ参照光用中継ファイバ６２ｂの出射端面が分光部用暗箱３１の入射スリット３１ｓに対向する基準データ計測位置とに入射光切換用モータ６３にて移動駆動自在に設けられて構成されている。
ちなみに、６４は、ファイバ支持体６２を前記通常計測位置と前記基準データ計測位置とに移動駆動されるように前記入射光切換用モータ６３に伝動連結するギア機構である。
【００４３】
つまり、入射光切換用モータ６３により前記ファイバ支持体６２が前記通常計測位置に切り換えられると、計測光用光ファイバ３ａにて導かれる光が計測光用中継ファイバ６２ａを介して前記入射スリット３１ｓから分光部用暗箱３１に入射し、入射光切換用モータ６３により前記ファイバ支持体６２が前記基準データ計測位置に切り換えられると、参照光用光ファイバ３ｂにて導かれる光が参照光用中継ファイバ６２ｂを介して前記入射スリット３１ｓから分光部用暗箱３１に入射することになる。
【００４４】
更に、図１に示すように、前記入射光切換部用暗箱６１内には、前記ファイバ支持体６２と分光部用暗箱３１の入射スリット３１ｓが形成された側壁部との間に位置させて、フィルタ装備用円板２５が、入射スリット３１ｓに入射する入射光路に直交する姿勢で、フィルタ切換用モータ２６にて前記入射光路に平行な軸心周りに回転駆動自在に設けられている。
そして、図示を省略するが、フィルタ装備用円板２５には、前記入射光路と交差する円周に沿って並ぶ状態で、所定の透過率を有するリファレンスフィルタ、成分分析用の波長範囲において少なくとも２つのピーク部を備えた校正用光が得られる波長校正用フィルタ（Ｖ１０フィルタ等）、及び、光を通過させる光通過用開口が備えられている。
【００４５】
この内部品質計測装置は、ＡＣ１００Ｖ、ＤＣ１２Ｖ及び前記電池９の３電源にて駆動可能なように構成されている。
以下、図８に基づいて、上述のように３電源での駆動を可能にする電源回路７０について説明を加える。
ＡＣ１００ＶをＤＣ１２Ｖに変換する変換器２３ｃを備えて、ＡＣ１００Ｖのコンセントに接続するＡＣ電源用ケーブル２３、及び、自動車やコンバイン等のＤＣ１２Ｖが出力されるソケット（シガレットライタ用のソケット等）に接続するＤＣ電源用ケーブル２４が備えられている。
これらＡＣ電源用ケーブル２３やＤＣ電源用ケーブル２４は、前記電源用ケーブル接続部１４に接続されて、駆動用電力が給電されることになる。
【００４６】
前記電源回路７０は、前記電源用ケーブル接続部１４から給電がない状態では、電池側に切り換わって電池９から駆動用電力が出力される状態と、電源用ケーブル接続部１４から給電されるのに伴って電源側に切り換わって電源用ケーブル接続部１４から駆動用電力が出力される状態とに切り換え自在なリレー７１、及び、電源用ケーブル接続部１４からのＤＣ１２Ｖ／４Ａの電力をＤＣ２４Ｖ／１Ａに変換して電池９に充電する充電回路部７２等から構成されている。
【００４７】
つまり、前記電源用ケーブル接続部１４にＡＣ電源用ケーブル２３を接続すると、ＡＣ１００Ｖ電源にて内部品質計測装置が駆動され、又、そのＡＣ１００Ｖ電源にて電池９に充電されることになり、前記電源用ケーブル接続部１４にＤＣ電源用ケーブル２４を接続すると、自動車やコンバイン等のＤＣ１２Ｖ電源にて内部品質計測装置が駆動され、又、そのＤＣ１２Ｖ電源にて電池９に充電されることになる。
【００４８】
次に、図９及び図１０に基づいて、前記粉粒体収納容器５０について説明を加える。
本発明では、前記収納部５３の前記側周壁５３ｃにおける周方向の少なくとも一部が、後退弾性変位自在な後退変位壁部５３Ｆに構成されている。
【００４９】
そして、この第１実施形態では、前記後退変位壁部５３Ｆが、前記側周壁５３ｃの周方向に沿って伸びる長尺状の板バネ５４を、その長手方向の一部（この実施形態では、一端部）を固定状態に支持して構成されている。
更に、前記後退変位壁部５３Ｆが、一対の前記板バネ５４を、その長手方向の一端側部分が重複する状態で前記側周壁５３ｃの周方向に並べ、且つ、前記重複される一端側部分とは反対側の他端側部分を固定状態に支持して構成されている。
【００５０】
以下、前記粉粒体収納容器５０について、更に説明を加える。
前記収納部５３の側周壁５３ｃが、上面視で矩形状に構成され、前記容器本体５１は、前記収納部５３の矩形状の側周壁５３ｃを備えるように、上面が全面にわたって開口され且つ低壁５１ｂを備えて、外周部が上面視で矩形状となる有底状に構成されている。
前記蓋体５２が、前記収納部５３の前記側周壁５３ｃにおける４辺に対応する４つの壁部分における対向する一対の壁部分の長手方向に沿い、且つ、上面視にて前記収納部５３の内部空間よりも外方に位置する揺動軸心周りで開閉自在に蝶番５６にて前記容器本体５１に支持されるように構成されている。
尚、以下の説明では、前記容器本体５１の側周壁における４辺に対応する４つの側周壁部分のうち、蓋体５２が揺動自在に支持される側の側周壁を前方側周壁部分５１ｍと称し、その前方側周壁部分５１ｍの左側端部に連なる側周壁部分を左側周壁部分５１ｘと称し、前方側周壁部分５１ｍの右側端部に連なる側周壁部分を右側周壁部分５１ｙと称し、前方側周壁部分５１ｍに対向する側周壁部分を後方側周壁部分５１ｎと称する場合がある。
【００５１】
容器本体５１の左側周壁部分５１ｘ及び右側周壁部分５１ｙ夫々における後方側周壁部分５１ｎの側に偏った箇所の夫々に、前記板バネ５４が、後方側周壁部分５１ｎと間隔を隔ててその後方側周壁部分５１ｎと略平行に伸び、且つ、遊端部分を互いに重ねた状態で、片持ち状に支持されている。
そして、前記容器本体５１の前方側周壁部分５１ｍ、左側周壁部分５１ｘ及び右側周壁部分５１ｙ、並びに、前記一対の板バネ５４にて、前記収納部５３の前記側周壁５３ｃが構成され、前記容器本体５１の底壁５１ｂにて、前記収納部５３の前記底壁５３ｂが構成されている。ちなみに、各板バネ５４が、上面視で容器本体５１の後方側周壁部分５１ｎ側に膨出するように屈曲形成され、それら一対の板バネ５４にて形成される収納部５３の側周壁５３ｃにおける壁部分が容器本体５１の後方側周壁部分５１ｎ側に膨出する形状に形成されているが、このような壁部分を含む形状も、矩形状に含まれるものとする。
つまり、前記収納部５３の前記側周壁５３ｃの４つの壁部分における長手方向が前記蓋体５２の揺動軸心と平行な一対の壁部分のうちで、前記蓋体５２の揺動軸心とは離れる側の壁部分が、前記後退変位壁部５３Ｆに構成されていることになる。
【００５２】
又、前記容器本体５１に、前記収納部５３から溢れる粉粒体を収納する余剰粉粒体収納部５７が、前記収納部５３に隣接する状態で形成されている。
説明を加えると、容器本体５１の後方側周壁部分５１ｎと前記２枚の板バネ５４との間の空間が、前記余剰粉粒体収納部５７として機能させるように構成されている。
【００５３】
更に、前記容器本体５１における前記収納部５３の底壁５３ｂに相当する箇所及び前記蓋体５２の夫々が、光を透過可能に構成されている。
説明を加えると、容器本体５１の底壁５１ｂにおける前記収納部５３の底壁５３ｂに相当する部分に円形の開口が形成されて、その開口に光透過用ガラス５８が嵌め込まれ、前記蓋体５２には、それが前記閉じ姿勢に操作された状態で、容器本体５１の底部の光透過用ガラス５７に対向するように円形の開口が形成されて、その開口に光透過用ガラス５９が嵌め込まれている。
【００５４】
又、蓋体５２における蝶番５６に支持される端縁部に対向する端縁部には、容器本体側に向けて直角に屈曲する状態で係止用切片５２ａが延設され、その係止用切片５２ａの中央部には内方側（蝶番側）に突起するように係止用突起部５２ｂが形成されている。
又、容器本体５１の後方側周壁部分５１ｎには、蓋体５２が閉じ姿勢に操作された状態で、係止用切片５２ａの係止用突起部５２ｂが嵌まり込んで蓋体５２を閉じ姿勢に保持する係止用凹部５１ｅが形成されている。
つまり、蓋体５２を容器本体側に揺動させて、係止用切片５２ａの係止用突起部５２ｂを容器本体５１の係止用凹部５１ｅに嵌め込むことにより、蓋体５２が容器本体５１に固定装着されることになる。
【００５５】
そして、前記蓋体５２を開けた状態で、容器本体５１の収納部５３に粉粒体を山盛り状態に入れて蓋体５２を閉じ操作すると、その閉じられる蓋体５２により、収納部５３に山盛り状に入れられた粉粒体が蓋体５２の揺動軸心とは離れる側に向かう斜め下向きに押圧されることになるが、収納部５３の側周壁の４つの壁部分における長手方向が蓋体５２の揺動軸心と平行な一対の壁部分のうちで、蓋体５２の揺動軸心とは離れる側の壁部分が一対の板バネ５４により後退変位壁部５３Ｆに構成されているので、一対の板バネ５４が図１０に仮想線（二点鎖線）にて示すように後退弾性変位することにより、収納部５３に収納されている粉粒体は容易に横方向に広がることとなって、粉粒体の内部に存在する空隙部が的確に押し潰されることになり、蓋体５２が閉じ姿勢で容器本体５１に固定装着された状態で、収納部５３に粉粒体が均等な充填密度にて充填されることになる。
又、蓋体５２を閉じ操作するときに収納部５３からこぼれる粉粒体のうち、余剰粉粒体収納部５７の側にこぼれる粉粒体はその余剰粉粒体収納部５７に回収されることになる。
【００５６】
そして、蓋体５２が閉じ姿勢で固定装着された状態の容器本体５１が、その後方側周壁部分５１ｎを前方に向けた姿勢で、容器挿入用開口部４１ｅを通して容器保持フレーム１１に挿入されて、計測箇所Ｐに保持されるように構成され、そのように容器本体５１が計測箇所Ｐに保持された状態で、容器本体５１の前方側周壁部分５１ｍが容器挿入用開口部４１ｅを閉じる蓋部として機能するように構成されている。
【００５７】
前記制御部５は、マイクロコンピュータを利用して構成され、操作部６、計測指令スイッチ１７等からの各種制御情報に基づいて、投光手段１の光源、表示部７、シャッタ用ソレノイド２１、フィルタ切換用モータ２６、入射光切換用モータ６３等の各部の動作の制御を実行し、並びに、前記受光センサ４の検出情報に基づいて粉粒体の内部品質情報を求める演算処理を実行するように構成されている。
以下、制御部５による演算処理について説明する。
制御部５は、粉粒体を透過した光のスペクトルデータ（以下、計測用スペクトルデータと記載する場合がある）を計測する通常計測モード、前記リファレンスフィルタを透過した光のスペクトルデータ（以下、基準スペクトルデータと記載する場合がある）を計測する基準データ計測モード、光が遮断された状態での受光センサ４の出力値（以下、暗電流データと記載する場合がある）を得る暗電流データ計測モード、前記波長校正用フィルタを通過した光のスペクトルデータ（以下、波長校正スペクトルデータと記載する場合がある）を計測する波長校正データ計測モードを択一的に実行可能なように校正されている。
【００５８】
制御部５は、前記通常計測モードにおいては、粉粒体が充填された粉粒体収納容器５０が容器保持フレーム１１に装填されている状態で、前記シャッタ２０を開くように前記シャッタ用ソレノイド２１を制御し、前記ファイバ支持体６２を通常計測位置に位置させるように前記入射光切換用モータ６３を制御し、前記フィルタ装備用円板２５の光通過用開口を前記入射光路を横断する位置に位置させるように前記フィルタ切換用モータ２６を制御して、受光センサ４の出力値を計測用スペクトルデータとして得るように構成されている。
この計測用スペクトルデータでは、粉粒体収納容器５０に充填されている粉粒体を透過した光が計測光用光ファイバ３ａの環状の入射端面にて受光され、その受光された光が計測光用光ファイバ３ａ及びファイバ支持体６２の計測光用中継ファイバ６２ａにて導かれて、入射スリット３１ｓから分光部用暗箱３１に入射して凹面回折格子３２により分光され、その分光された光が受光センサ４にて受光されてその受光センサ４から波長毎のデータが出力されることになる。
そして、粉粒体収納容器５０に充填されている粉粒体を透過した光を計測光用光ファイバ３ａの環状の入射端面で受光するので、広範囲の粉粒体のデータを得ることができるものとなり、内部品質情報の計測精度を向上することができる。
【００５９】
制御部５は、前記基準データ計測モードにおいては、粉粒体が充填されていない空の粉粒体収納容器５０が容器保持フレーム１１に装填されている状態で、前記シャッタ２０を開くように前記シャッタ用ソレノイド２１を制御し、前記ファイバ支持体６２を基準データ計測位置に位置させるように前記入射光切換用モータ６３を制御し、前記フィルタ装備用円板２５のリファレンスフィルタを前記入射光路を横断する位置に位置させるように前記フィルタ切換用モータ２６を制御して、受光センサ４の出力値を基準スペクトルデータとして得るように構成されている。
この基準データ計測モードでは、空の粉粒体収納容器５０を透過した光が参照光用光ファイバ３ｂの入射端面にて受光され、その受光された光が参照光用光ファイバ３ｂ及びファイバ支持体６２の参照光用中継ファイバ６２ｂにて導かれて、入射スリット３１ｓから分光部用暗箱３１に入射して凹面回折格子３２により分光され、その分光された光が受光センサ４にて受光されてその受光センサ４から波長毎のデータが出力されることになる。
【００６０】
制御部５は、暗電流データ計測モードでは、前記シャッタ２０を閉じるように前記シャッタ用ソレノイド２１を制御して、受光センサ４の出力値を暗電流データとして得るように構成されている。
又、制御部５は、波長校正データ計測モードでは、粉粒体が充填されていない空の粉粒体収納容器５０が容器保持フレーム１１に装填されている状態で、前記シャッタ２０を開くように前記シャッタ用ソレノイド２１を制御し、前記ファイバ支持体６２を基準データ計測位置に位置させるように前記入射光切換用モータ６３を制御し、前記フィルタ装備用円板２５の波長校正用フィルタを前記入射光路を横断する位置に位置させるように前記フィルタ切換用モータ２６を制御して、受光センサ４の出力値を波長校正用スペクトルデータとして得るように構成されている。
ちなみに、制御部５は、この波長校正用スペクトルデータ用いて、受光センサ４の複数の受光素子と受光波長との対応関係を求めて、各受光素子の受光波長の校正を行うように構成されている。
【００６１】
そして、前記制御部５は、公知技術である分光分析手法を用いて粉粒体の内部品質情報を求めるように構成されている。
つまり、前記通常計測モードにて得た計測用スペクトルデータを、前記基準データ計測モードにて得た基準スペクトルデータ及び前記暗電流データ計測モードにて得た暗電流データを用いて正規化して、分光された光の各波長毎の吸光度スペクトルデータを得るとともに、その吸光度スペクトルデータの二次微分値を求める。そして、その二次微分値及び予め設定されている検量式により、粉粒体に含まれる水分、たんぱく質、アミロース等の含有率や食味を内部品質情報として得るように構成されている。
【００６２】
吸光度スペクトルデータｄは、計測用スペクトルデータをＳｄとし、基準スペクトルデータをＲｄとし、暗電流データをＤａとすると、下記の式１にて求められる。
【００６３】
〔式１〕
ｄ＝ｌｏｇ[（Ｒｄ−Ｄａ）／（Ｓｄ−Ｄａ）]
【００６４】
そして、このようにして得られた吸光度スペクトルデータｄを二次微分した値のうち特定波長の値と、下記の式２に示される検量式とを用いて、粉粒体の内部品質情報が求められる。
【００６５】
〔式２〕
Ｙ＝Ｋ０＋Ｋ１・Ａ（λ１）＋Ｋ２・Ａ（λ２）……
【００６６】
但し、
Ｙ  ；内部品質情報
Ｋ０，Ｋ１，Ｋ２……；係数
Ａ（λ１ ），Ａ（λ２ ）……；特定波長λにおける吸光度スペクトルの二次微分値
【００６７】
そして、複数種の粉粒体夫々について、計測する内部品質情報の項目毎に検量式が予め設定されて、制御部５に記憶されている。
つまり、粉粒体夫々について、計測する内部品質情報の項目毎に、特定波長λ１、λ２……、係数Ｋ０，Ｋ１，Ｋ２……が設定されて、検量式が設定されている。
【００６８】
この実施形態の内部品質計測装置では、生籾については、水分及びタンパク質夫々の計測用の検量式が設定され、生玄米（乾燥されていない玄米）については、水分、たんぱく質及び食味夫々の計測用の検量式が設定され、乾玄米（乾燥された玄米）及び精米の夫々については、水分、タンパク質、アミロース及び食味夫々の計測用の検量式が設定されている。
【００６９】
以下、前記制御部５に制御動作について説明する。
尚、予め、受光センサ４の出力値（電圧値）について、容器保持フレーム１１に装填されている粉粒体収納容器５０が粉粒体が充填されていない空の状態か否かを判別するための空容器判別用設定値、及び、内部品質情報を適切に計測するための計測用設定値が予め設定されて、制御部５に記憶されている。
【００７０】
制御部５は、前記計測指令スイッチ１７により計測開始指令が指令されると、前記ファイバ支持体６２を基準データ計測位置に位置させるように前記入射光切換用モータ６３を制御し、且つ、前記フィルタ装備用円板２５のリファレンスフィルタを前記入射光路を横断する位置に位置させるように前記フィルタ切換用モータ２６を制御した状態で、予備計測用の設定計測時間（例えば３０ｍｓｅｃ）の間、前記シャッタ２０を開くように前記シャッタ用ソレノイド２１を制御して、受光センサ４における複数の受光素子の出力値のうちのピーク出力値を予備計測データとして得る予備計測モードを実行する。
そして、制御部５は、予備計測データが空容器判別用設定値以上の場合は、容器保持フレーム１１に空の粉粒体収納容器５０が装填されていると判別して、前記基準データ計測モード、暗電流データ計測モード及び波長校正データ計測モードを実行して、基準スペクトルデータ、暗電流データ及び波長校正用スペクトルデータを計測する。
【００７１】
又、制御部５は、予備計測データが空容器判別用設定値よりも小さい場合は、容器保持フレーム１１に粉粒体が充填された粉粒体収納容器５０が装填されていると判別して、予備計測データに基づいて、受光センサ４により計測用設定値以上のデータが得られる投光時間を求めて、その求めた投光時間の間、シャッタ２０を開くようにシャッタ用ソレノイド２１を制御する状態で、通常計測モードを実行して、計測用スペクトルデータを計測する。
尚、通常計測モードを設定回数（例えば３回）実行して、各モードで計測したデータの平均値を計測用スペクトルデータとするように構成されている。
【００７２】
そして、制御部５は、操作部６により計測対象として設定されている粉粒体に対応する検量式に基づいて、内部品質情報を演算して、その演算結果を表示部７に表示させる。
【００７３】
又、制御部５は、操作部６の画面反転ボタン６ｂにより表示状態切換指令が指令されると、表示状態切換指令が指令される前の表示状態に対して上下を反転して内部品質情報等の表示情報を表示部７に表示させる。
【００７４】
〔第２実施形態〕
次に、第２実施形態を説明する。
この第２実施形態は、粉粒体収納容器５０の別実施形態を説明するものであり、内部品質計測装置は上記の第１実施形態と同様であるので、その内部品質計測装置の説明を省略して、粉粒体収納容器５０について説明する。
そして、この第２実施形態の粉粒体収納容器５０は、特に、後退変位壁部５３Ｆの別実施形態を説明するものであるので、第１実施形態と同じ構成要素や同じ作用を有する構成要素については、重複説明を避けるために、同じ符号を付すことにより説明を省略し、主として、第１実施形態と異なる構成を説明する。
【００７５】
図１１及び図１２に示すように、この第２実施形態においても、前記収納部５３の前記側周壁５３ｃにおける後退変位壁部５３Ｆが、前記側周壁５３ｃの周方向に沿って伸びる長尺状の板バネ５５ｍ，５５ｎを、その長手方向の一端部を固定状態に支持して構成されているが、その後退変位壁部５３Ｆの具体構成が上記の第１実施形態と異なる。
【００７６】
この第２実施形態においても、前記収納部５３の側周壁５３ｃが、上面視で矩形状に構成されている。
そして、前記収納部５３の側周壁５３ｃの４辺に対応する４つの壁部分における一方の対向する一対の壁部分が固定状壁部５３Ｓに構成され、他方の対向する一対の壁部分が前記後退変位壁部５３Ｆに構成されている。
【００７７】
説明を加えると、上記の第１実施形態と同様に、前記容器本体５１は、前記収納部５３の矩形状の側周壁５３ｃを備えるように、上面が全面にわたって開口され且つ低壁５１ｂを備えて、外周部が上面視で矩形状となる有底状に構成されている。
そして、前記蓋体５２が、前記収納部５３の前記側周壁５３ｃにおける対向する一対の後退変位壁部５３Ｆの長手方向に沿い、且つ、上面視にて前記収納部５３の内部空間よりも外方に位置する揺動軸心周りで開閉自在に蝶番５６にて前記容器本体５１に支持されるように構成されている。
尚、以下の説明でも、上記の第１実施形態と同様に、前記容器本体５１の側周壁における４辺に対応する４つの側周壁部分のうち、蓋体５２が揺動自在に支持される側の側周壁を前方側周壁部分５１ｍと称し、その前方側周壁部分５１ｍの左側端部に連なる側周壁部分を左側周壁部分５１ｘと称し、前方側周壁部分５１ｍの右側端部に連なる側周壁部分を右側周壁部分５１ｙと称し、前方側周壁部分５１ｍに対向する側周壁部分を後方側周壁部分５１ｎと称する場合がある。
【００７８】
容器本体５１の右側周壁部分５１ｙにおける前方側周壁部分５１ｍの側に偏った箇所に、左側周壁部分５１ｘと右側周壁部分５１ｙとの間隔よりも長い前記板バネ（以下、前方板バネと称する場合がある）５５ｍが、前方側周壁部分５１ｍと間隔を隔ててその前方側周壁部分５１ｍの長手方向に沿って伸びる状態で、収納部外方側に膨出するように湾曲して遊端部が左側周壁部分５１ｘに接当する状態で片持ち状に支持されている。
又、容器本体５１の左側周壁部分５１ｘにおける後方側周壁部分５１ｎの側に偏った箇所に、左側周壁部分５１ｘと右側周壁部分５１ｙとの間隔よりも長い前記板バネ（以下、後方板バネと称する場合がある）５５ｎが、後方側周壁部分５１ｎと間隔を隔ててその後方側周壁部分５１ｎの長手方向に沿って伸びる状態で、収納部外方側に膨出するように湾曲して遊端部が右側周壁部分５１ｙに接当する状態で片持ち状に支持されている。
【００７９】
そして、前記容器本体５１の左側周壁部分５１ｘ及び右側周壁部分５１ｙ、並びに、前記前方板バネ５５ｍ及び前記後方板バネ５５ｎにて、前記収納部５３の前記側周壁５３ｃが構成され、前記容器本体５１の底壁５１ｂにて、前記収納部５３の前記底壁５３ｂが構成されている。
つまり、前記容器本体５１の左側周壁部分５１ｘ及び右側周壁部分５１ｙが、前記一対の固定状壁部５３Ｓに相当し、前記前方側板バネ５５ｍ及び前記後方側板バネ５５ｎにて、前記一対の後退変位壁部５３Ｆが構成される。
そして、前記収納部５３の前記側周壁５３ｃの４つの壁部分における長手方向が前記蓋体５２の揺動軸心と平行な一対の壁部分のうちで、前記蓋体５２の揺動軸心とは離れる側の壁部分が、前記後退変位壁部５３Ｆに構成されていることになる。
ちなみに、前方板バネ５５ｍや後方板バネ５５ｎは収納部外方側に膨出するように湾曲しているが、このような前方板バネ５５ｍや後方板バネ５５ｎにて構成される壁部分を含む形状も、矩形状に含まれるものとする。
【００８０】
要するに、前記後退変位壁部５３Ｆが、対向する一対の固定状壁部５３Ｓの間隔よりも長い２枚の板バネ５５ｍ，５５ｎを、一対の固定状壁部５３Ｓの長手方向に離間させ、且つ、収納部外方側に膨出するように湾曲して遊端部が対向する方の固定状壁部５３Ｓに接当する形態で、一対の固定状壁部５３Ｓの夫々に振り分けて片持ち状に支持して構成されている。
【００８１】
前記容器本体５１の前方側周壁部分５１ｍと前方板バネ５５ｍとの間に形成される空間、及び、前記容器本体５１の後方側周壁部分５１ｎと後方板バネ５５ｎとの間に形成される空間夫々を、前記収納部５３から溢れる粉粒体を収納する余剰粉粒体収納部５７として機能させるように構成されている。
つまり、前記容器本体５１に、前記余剰粉粒体収納部５７が、前記収納部５３に隣接する状態で形成されていることになる。
【００８２】
そして、前記蓋体５２を開けた状態で、容器本体５１の収納部５３に粉粒体を山盛り状態に収納して蓋体５２を閉じ操作すると、その閉じられる蓋体５２にて収納部５３に収納された粉粒体が押圧されることにより、図１２に仮想線（二点鎖線）にて示すように、前方板バネ５５ｍ及び後方板バネ５５ｎが夫々の遊端部が固定状壁部５３Ｓの内面を摺動する状態で後退弾性変位しつつ粉粒体が横方向に広がって、粉粒体の内部に存在する空隙部が的確に押し潰されることになり、蓋体５２が閉じ姿勢で容器本体５１に固定装着された状態で、収納部５３に粉粒体が均等な充填密度にて充填されることになる。
又、蓋体５２を閉じ操作するときに収納部５３からこぼれる粉粒体のうち、各余剰粉粒体収納部５７の側にこぼれる粉粒体は各余剰粉粒体収納部５７に回収されることになる。
【００８３】
〔別実施形態〕
次に別実施形態を説明する。
（イ）  後退変位壁部５３Ｆの具体構成は、上記の第１及び第２の各実施形態において例示した構成に限定されるものではない。
例えば、収納部５３の周方向に伸びる長尺状の板バネにて構成する場合、上記の第１及び第２の各実施形態のように、長手方向の一端部を固定状に支持する場合に限定されるものではなく、長手方向の中間部の一部を固定状に支持するように構成しても良い。
又、後退変位壁部５３Ｆを、収納部５３の周方向に伸びる剛体の長尺状の板状体を収納部５３の内外方向に平行移動自在に支持し且つ収納部５３の外部に位置する圧縮バネにて受ける形態で設けて、圧縮バネの付勢力に抗して後退弾性変位自在なように構成しても良い。
又、後退変位壁部５３Ｆを、収納部５３の周方向に伸びる剛体の長尺状の板状体をその下端縁に沿う軸心周りの揺動にて後退弾性変位自在に設けて構成しても良い。
又、後退変位壁部５３Ｆを、スポンジを容器本体５３の側周壁の内部に設けて構成しても良い。
又、容器本体５１の側周壁にて収納部５３の側周壁５３ｃを構成するようにして、容器本体５１の側周壁そのものを後退弾性変位自在なように構成しても良い。
ちなみに、容器本体５１の側周壁をゴム、樹脂等からなる弾性体にて構成することにより、容器本体５１の側周壁を後退弾性変位自在に構成することになる。
【００８４】
（ロ）  上記の第１及び第２の各実施形態においては、収納部５３の矩形状の側周壁５３ｃにおける４辺に対応する４つの壁部分のうち、１つ又は２つの壁部分を後退変位壁部５３Ｆに構成する場合について例示したが、３つの壁部分又は４つ全ての壁部分を後退変位壁部５３Ｆに構成するように構成しても良い。
又、収納部５３の矩形状の側周壁５３ｃにおける４つの壁部分のうちの２つの壁部分を後退変位壁部５３Ｆに構成する場合、対向する一対の壁部分を後退変位壁部５３Ｆに構成する場合に限定されるものではなく、隣接する２つの壁部分を後退変位壁部５３Ｆに構成しても良い。
【００８５】
（ハ）  上記の第１及び第２の各実施形態においては、収納部５３の側周壁５３ｃの４つの壁部分うちで、蓋体５２の揺動軸心とは離れる側の、長手方向が蓋体５２の揺動軸心と平行な壁部分を後退変位壁部５３Ｆに構成する場合について例示したが、蓋体５２の揺動軸心に近づく側の、蓋体５２の揺動軸心と平行な壁部分を後退変位壁部５３Ｆに構成したり、長手方向が蓋体５２の揺動軸心と直交する一対の壁部分のうちのいずれか一方又は両方を後退変位壁部５３Ｆに構成しても良い。
【００８６】
（ニ）  収納部５３の上面視での形状は、上記の第１及び第２の各実施形態において例示した矩形状に限定されるものではなく、円形状や五角形状、六角形状等の多角形状でもよい。
【００８７】
（ホ）  余剰粉粒体収納部５７を収納部５３に隣接する状態で設けるに当たって、上記の第１及び第２の各実施形態においては、収納部５３の外周部における周方向の一部分に設けたが、収納部５３の外周部における周方向の全周にわたって設けても良い。
【００８８】
（ヘ）  上記の第１及び第２の各実施形態においては、蓋体５２を揺動軸心周りの揺動により開閉自在に容器本体５１に支持する場合について例示したが、蓋体５２を容器本体５１と分離した状態として、その蓋体５２を収納部５３の開口５３ａを閉じる姿勢で容器本体５１に位置させた状態で、嵌め込み式の係合部又はクリップにて固定装着するように構成しても良い。
ちなみに、嵌め込み式の係合部は、凹部及びそれに嵌め込まれる凸部からなり、それら凹部及び凸部が容器本体５１及び蓋体５２に振り分けて設けられることになる。
【００８９】
（ト）  上記の第１実施形態において、各板バネ５４を容器本体５１の後方側周壁部分５１ｎ側に膨出するように屈曲形成する場合に代えて、上面視で容器本体５１の後方側周壁部分５１ｎと平行な平板状に形成してもよい。
【００９０】
（チ）  品質計測装置の具体構成は、上記の第１及び第２の各実施形態において例示した構成に限定されるものではない。
例えば、品質計測装置を分光分析にて粉粒体の内部品質を計測するように構成する場合、投光手段１と受光手段２の配置形態は、上記の第１及び第２の各実施形態のように粉粒体を透過した光を受光する形態にて配置する場合に限定されるものではなく、粉粒体を反射した光を受光する形態にて配置してもよい。
この場合、容器本体５１における収納部５３の底壁５３ｂに相当する箇所、又は、蓋体５２のいずれか一方を光を透過可能に構成することになる。
又、容器本体５１に収納されている粉粒体に対して光を投射して、粉粒体からの反射光を計測することにより、粉粒体の白度を計測するように構成してもよい。
この場合も、容器本体５１における収納部５３の底壁５３ｂに相当する箇所、又は、蓋体５２のいずれか一方を光を透過可能に構成することになる。
又、装填箇所Ｐに装着された容器本体５１に収納されている粉粒体に対して高周波電圧を印加した状態で静電容量を検出して、その検出静電容量に基づいて粉粒体の水分含有率を求めるように構成してもよい。
【００９１】
（リ）  粉粒体収納容器５０に収納する対象となる粉粒体は、籾、玄米、精米、玄麦、玄蕎麦、小麦粉、蕎麦粉等の農産物の粉粒体に限定されるものではない。
【図面の簡単な説明】
【００９２】
【図１】農産物の内部品質計測装置の全体構成を示すブロック図
【図２】農産物の内部品質計測装置の分解斜視図
【図３】農産物の内部品質計測装置の縦断後面図
【図４】農産物の内部品質計測装置の縦断左側面図
【図５】農産物の内部品質計測装置の通常姿勢で設けた状態の正面図
【図６】農産物の内部品質計測装置を仰向け姿勢で設けた状態を示す図
【図７】受光手段の光入射側から見た図
【図８】電源回路を示すブロック図
【図９】第１実施形態に係るサンプル収納容器の斜視図
【図１０】第１実施形態に係るサンプル収納容器の横断平面図
【図１１】第２実施形態に係るサンプル収納容器の斜視図
【図１２】第２実施形態に係るサンプル収納容器の横断平面図
【符号の説明】
【００９３】
５１    容器本体
５２    蓋体
５３    収納部
５３ａ  開口
５３ｂ  底壁
５３ｃ  側周壁
５３Ｆ  後退変位壁部
５４    板バネ
５５ｍ  板バネ
５５ｎ  板バネ
５７    余剰粉粒体収納部
Ｐ      装填箇所
【図１】
2010025578.tif 000003
【図２】
2010025578.tif 000004
【図３】
2010025578.tif 000005
【図４】
2010025578.tif 000006
【図５】
2010025578.tif 000007
【図６】
2010025578.tif 000008
【図７】
2010025578.tif 000009
【図８】
2010025578.tif 000010
【図９】
2010025578.tif 000011
【図１０】
2010025578.tif 000012
【図１１】
2010025578.tif 000013
【図１２】
2010025578.tif 000014